(57)【特許請求の範囲】
【請求項１】
磁気ディスク装置とコネクタを有する可搬型ディスクモジュールを複数個搭載する磁気ディスクサブシステムにおいて、
操作用ハンドルを操作することによって前記可搬型ディスクモジュールを前記磁気ディスクサブシステムの筐体に着脱する構造であり、
前記磁気サブシステムの筐体には、前記可搬型ディスクモジュールのコネクタと接続される筐体側コネクタと、前記可搬型ディスクモジュールを着脱案内しコネクタ同士を位置合わせする位置決め部と、が配設され、
前記可搬型ディスクモジュールには、前記操作用ハンドルの回転運動を前記可搬型ディスクモジュールの直線運動に変換する変換部材が設けられ、
前記変換部材には、切欠部を有する螺旋型の回転ねじ部が形成され、
着脱可能な前記操作用ハンドルは、前記変換部材に挿入後回転して操作するものであり、
前記変換部材の挿入口形状は前記操作用ハンドルの形状と同形状の凹又は凸形状であり、
前記変換部材の前記挿入口に対面した前記可搬型ディスクモジュールの壁面には、前記操作用ハンドルの通過する操作用ハンドル穴が設けられ、
前記操作用ハンドル穴は、前記操作用ハンドルの凹又は凸形状が通過可能な形状であり、且つ前記操作用ハンドルの前記凹又は凸形状以外の形状をもつ操作用ハンドルの通過を阻止する形状を有することによって、操作用ハンドルの正当な保管者以外による前記可搬型ディスクモジュールへの操作を阻止する
ことを特徴とする磁気ディスクサブシステム。
【発明の詳細な説明】
【０００１】
【発明の属する技術分野】
本発明は、磁気ディスク装置を組み込んだ可搬型ディスクモジュールを複数個搭載可能な磁気ディスクサブシステムに関し、特に、可搬型ディスクモジュールの着脱機構に関する。
【０００２】
【従来の技術】
従来の磁気ディスクサブシステムに搭載される可搬型ディスクモジュールは、単位空間当たりの記憶容量を増大させるため、複数の可搬型ディスクモジュールを同一筐体内により多く搭載することが行われている。このような場合、各可搬型ディスクモジュールは、高い信頼性を有するよう設計されているが、仮に故障した場合は、当該可搬型ディスクモジュールを速やかに正常な可搬型ディスクモジュールに交換しなければ運用に支障を来す。
【０００３】
このため、可搬型ディスクモジュール、電源回路を搭載した回路基板、及び磁気ディスク装置を制御する制御基板を磁気ディスクサブシステム筐体に着脱させたり、前記可搬型ディスクモジュール等にコネクタを設けて、前記筐体との着脱を容易にするものが提案されている。
【０００４】
また、重要なデータを入力して厳重に保管されねばならない可搬型ディスクモジュールが容易に着脱可能であることは、不特定多数の人が取り外し可能なことを意味して不用意に抜去され入力データが破壊される可能性があることとなる。この対策として可搬型ディスクモジュールを容易に取り外せない構造として、この入力データ保護達成のため、各々の可搬型ディスクモジュールに各々専用の鍵を設けたり、また複数の可搬型ディスクモジュール全体を覆うカバーを取りつける構造を採用している。
【０００５】
【発明が解決しようとする課題】
従来技術における専用鍵の構成は、可搬型ディスクモジュールを複数個搭載する場合、鍵のシリンダーの占有体積が大きく、また構造が複雑化して可搬型ディスクモジュールの体積が大きくなり、搭載台数に制約が発生する。
【０００６】
また、従来技術におけるカバー覆いの構成は、本来交換する可搬型ディスクモジュール以外の可搬型ディスクモジュールを誤挿抜してしまうという可能性は完全には払拭できないという課題があった。
【０００７】
そこで、本発明の目的は、上記従来技術の課題に鑑み、可搬型ディスクモジュールを筐体に対する着脱構造について、着脱作業時の際に発生する振動や衝撃によって可搬型ディスクモジュールが損傷して製品の信頼性が低下してしまわないような着脱機構、また、データ保護の観点から容易に可搬型ディスクモジュールを着脱できない着脱機構を安価に供給することにある。
【０００８】
また、本発明の他の目的は、磁気ディスクサブシステムの筐体側コネクタと可搬型ディスクモジュールの高精度な取付寸法関係を容易に達成し、着脱作業時の際の発生する振動や衝撃によって可搬型ディスクモジュールを損傷から防止することにある。
【０００９】
【課題を解決するための手段】
前記課題を解決するために、本発明は次のような構成を採用する。ここで、各構成要素に示す添付符号は、明細書に記載された本発明の一構成例との対応を示すものであって、本発明はこの一構成例に限定されるものでないことは当然である。
磁気ディスク装置１０３とコネクタ１０６を有する可搬型ディスクモジュール１００を複数個搭載する磁気ディスクサブシステムにおいて、
操作用ハンドル１０４を操作することによって前記可搬型ディスクモジュール１００を前記磁気ディスクサブシステムの筐体１０１に着脱する構造であり、
前記磁気サブシステムの筐体１０１には、前記可搬型ディスクモジュール１００のコネクタ１０６と接続される筐体側コネクタ１０７と、前記可搬型ディスクモジュール１００を着脱案内しコネクタ同士を位置合わせする位置決め部１１１と、が配設され、
前記可搬型ディスクモジュール１００には、前記操作用ハンドル１０４の回転運動を前記可搬型ディスクモジュール１００の直線運動に変換する変換部材が設けられ、
前記変換部材には、切欠部を有する螺旋型の回転ねじ部１１２が形成され、
着脱可能な前記操作用ハンドル１０４は、前記変換部材に挿入後回転して操作するものであり、
前記変換部材の挿入口形状１２３は前記操作用ハンドル１０４の形状と同形状の凹又は凸形状であり、
前記変換部材の前記挿入口に対面した前記可搬型ディスクモジュール１００の壁面には、前記操作用ハンドルの通過する操作用ハンドル穴１１３が設けられ、
前記操作用ハンドル穴１１３は、前記操作用ハンドル１０４の凹又は凸形状が通過可能な形状であり、且つ前記操作用ハンドル１０４の前記凹又は凸形状以外の形状をもつ操作用ハンドルの通過を阻止する形状を有することによって、操作用ハンドル１０４の正当な保管者以外による前記可搬型ディスクモジュール１００への操作を阻止する構成とする。
【００１２】
【発明の実施の形態】
本発明の実施形態に係る磁気ディスクサブシステム及びこれに搭載される可搬型ディスクモジュールについて、図１〜図６を用いて以下説明する。
【００１３】
図１は、磁気ディスク装置１０３を組み込んでユニット化された可搬型ディスクモジュール１００を磁気ディスクサブシステムの筐体１０１に搭載する際の概略斜視図である。ここで、１００は可搬型ディスクモジュール、１０１は磁気ディスクサブシステムの筐体、１０２は可搬型ディスクモジュールのケース、１０３は磁気ディスク装置、１０４は操作用ハンドル、１０６は可搬型ディスクモジュール側コネクタ、１０７は磁気ディスクサブシステムの筐体側コネクタ、１１０は磁気ディスクサブシステム基板、１１１はレール、をそれぞれ表す。
【００１４】
磁気ディスクサブシステムの筐体１０１には複数の筐体側コネクタ１０７と筐体側コネクタ１０７を組み込んだ基板１１０が取り付けられており、磁気ディスクサブシステムの筐体１０１の上下壁面にはレール１１１が設けられていて可搬型ディスクモジュールの左右を案内支持している。また、前記筐体側コネクタが基板の左右に数列設けられ且つ上下方向に数段（図示の例では２段）設けられている。
【００１５】
なお、図１において、可搬型ディスクモジュールを数列、数段搭載した構造体を通常ＤＫＵ（ディスクユニット部）と称し、このＤＫＵに不図示のＤＫＣ（ディスクコントロール部）を付設したものを磁気ディスクサブシステムと称する。磁気ディスクサブシステムは、１個のＤＫＵと１個のＤＫＣから構成されていても良いし、複数ＤＫＵと１個のＤＫＣでも良い。また、ＤＫＵとＤＫＣが互いに複数個あっても良い。
【００１６】
可搬型ディスクモジュール１００は、操作用ハンドル１０４の操作によって、対面するレール１１１間を案内挿入され、対応する筐体側コネクタ１０７に対向して、次いで、可搬型ディスクモジュール側コネクタ１０６が筐体側コネクタ１０７に電気的に接続される（操作用ハンドルと案内挿入動作の具体的関連は図を用いて後述する）。
【００１７】
また、図１において、磁気ディスクサブシステムの筐体１０１に取り付けられ基板１１０の背面側には、論理回路、電源等が収納されており、電気的に接続された磁気ディスク装置１０３の情報がインターフェースケーブルにより上位ホストコンピュータと授受されている。
【００１８】
図２は本発明の実施形態に係る可搬型ディスクモジュール１００と磁気ディスク装置１０３の構成を示す概略斜視図である。磁気ディスク装置１０３は、側面に開けられたねじ穴１１４及びディスクモジュールケース１０２に開けられた穴１１５を通してねじ１０８によって可搬型ディスクモジュールに締結固定される。磁気ディスク装置１０３にはコネクタ１１７が組み込まれており、可搬型ディスクモジュール側コネクタ１０８と接続される（コネクタ同士が直接に接続されても良いし、中継ケーブルを介して接続されても良い）。
【００１９】
また、可搬型ディスクモジュール側コネクタ１０６が、上述したように、磁気ディスク装置側コネクター１１７と接続される構成である場合の外に、前記ディスクモジュール側コネクタを無くして、図示の可搬型ディスクモジュール側コネクタ１０６があるべき位置に磁気ディスク装置側コネクタ１１７を直接に配置する場合もある。
【００２０】
操作用ハンドル１０４は可搬型ディスクモジュール１００の操作用ハンドル穴１１３に差込まれ操作用ハンドル１０４を回転することにより可搬型ディスクモジュールが磁気ディスクサブシステムから挿抜される。この際、可搬型ディスクモジュール１００はレール１０６を介して挿抜される。可搬型ディスクモジュールケース１０２には、可搬型ディスクモジュール回転ねじ逃げ穴１２６を有している（ディスクモジュールの挿抜態様の詳細は後述する）。
【００２１】
図３は、本発明の実施形態に係る可搬型ディスクモジュール１００と操作用ハンドル１０４との全体構成を示す断面図である。操作用ハンドル１０４には操作用ハンドル突起１０９（図４参照）が取付いており、この突起１０９で可搬型ディスクモジュール１００の可搬型ディスクモジュール側回転ねじ部１１２を回転駆動して可搬型ディスクモジュール１００を着脱させる。可搬型ディスクモジュール側回転ねじ部１１２の回転駆動により可搬型ディスクモジュール１００を挿抜する駆動力１２４が働き、可搬型ディスクモジュール側コネクタ１０６と筐体側コネクタ１０７の嵌合が構築される。
【００２２】
可搬型ディスクモジュール１００に具備された可搬型ディスクモジュール側回転ねじ部１１２は、可搬型ディスクモジュール１００が挿入される際に筐体側突起１１６に衝突するが、可搬型ディスクモジュール側回転ねじ部１１２を回転させない限り可搬型ディスクモジュール１００は挿入されない。この筐体側突起１１６は人力による不安定な挿入力で磁気ディスク装置１０３を衝撃力から保護する役割も兼ねる。ここで、可搬型ディスクモジュール側回転ねじ部１１２は可搬型ディスクモジュール側回転ねじ受け部１２８で保持されている。また、ねじ部１１２は図示構造から解るように、螺旋型のねじ形状をしている。
【００２３】
図３に示した構成は、操作用ハンドル１０４の操作による可搬型ディスクモジュール側回転ねじ部１１２の回転運動を、可搬型ディスクモジュールの直線運動に変換する機構の概略を示したものであり、その回転から直線への変換運動の詳細は図４、図５及び図６に示す。
【００２４】
図４は、本発明の実施形態に係る可搬型ディスクモジュール１００に取り付けられた可搬型ディスクモジュール側回転ねじ部１１２に操作用ハンドル１０４を差し込んで磁気ディスクサブシステムの筐体１０１に可搬型ディスクモジュール１００を挿入する態様を示す全体斜視図を示す。
【００２５】
操作用ハンドル１０４は、可搬型ディスクモジュール１００に具備している操作用ハンドル穴１１３を通過して可搬型ディスクモジュール回転ねじ部１１２に挿入される。この時、操作用ハンドル穴１１３は操作用ハンドル１０４に具備する操作用ハンドル突起１０９が通過可能な形状であり、且つ、当該操作用ハンドル１０４以外の操作を不可能にする形状を有しており、操作用ハンドル１０４の保管者以外の操作を阻止している。これが磁気ディスク装置１０３のデータを保護する役割を果たしている。図では突起１０９を図示しているがこれ以外の例えば凹凸形状でも良い。尚、図４で穴１１３に形成された右側の凸状部は可搬型ディスクモジュールの装填完了後に操作用ハンドル１０４を抜き去るときのガイド部である。
【００２６】
図５は可搬型ディスクモジュールを磁気ディスクサブシステムの筐体１０１に挿入する際の着脱記憶の回転ねじ部動作を説明した図であり、上段の図（ａ）は可搬型ディスクモジュール回転ねじ部１１２の斜視図を示し、中段の図（ｂ）は可搬型ディスクモジュール１００を上面から透視した図を示し、下段の図（ｃ）は可搬型ディスクモジュール１００を正面から見た図を示す。
【００２７】
図４と図５において、１０９は操作用ハンドル突起、１１０は磁気ディスクサブシステム基板、１１２は可搬型ディスクモジュール側回転ねじ部、１１３は操作用ハンドル穴、１１６は筐体側受け部突起、１１７は磁気ディスク装置側コネクタ、１２３は可搬型ディスクモジュール回転ねじ部操作ハンドル挿入穴、１２５は磁気ディスクサブシステム筐体側受け部ねじ逃げ穴、１２６は可搬型ディスクモジュール側回転ねじ逃げ穴、１２７は可搬型ディスクモジュール側回転ねじ部回転方向、１２８は可搬型ディスクモジュール側回転ねじ受け部、をそれぞれ表す。
【００２８】
そこで、可搬型ディスクモジュール１００をディスクサブシステムの筐体１０１挿入するとき、可搬型ディスクモジュール回転ねじ部１１２に図示のような可搬型ディスクモジュール１００から余り突出しないような逃げが有るので（略円形状の回転ねじ部１１２に切り欠き部がある）この状態でディスクサブシステムの筐体１０１に挿入される。可搬型ディスクモジュール回転ねじ部１１２はディスクサブシステムの筐体１０１に具備された筐体側受け部突起１１６に当接して挿入方向の進行が阻止される。
【００２９】
次いで、可搬型ディスクモジュール１００を挿入駆動するために、操作用ハンドル１０４を操作用ハンドル穴１１３に挿入し回転させて可搬型ディスクモジュール回転ねじ部１１２を動作させる。前記回転ねじ部１１２は筐体側受け部ねじ逃げ穴１２５に填り込んでいて、且つ前記ねじ部１１２が螺旋形状を構成しているので、前記ねじ部１１２の矢印１２７方向の回転に伴ってねじ部と一体的な可搬型ディスクモジュールは前進方向に駆動されて、コネクタ１０６とコネクタ１０７が電気的接続するようになる。尚、図４では回転ねじ部１１２を例示したが、ハンドルの回転運動を可搬型ディスクモジュールの直線運動に変換する公知の手段も本実施形態の構成例となる。
【００３０】
操作用ハンドル１０４は、操作用ハンドル穴１１３から取外し可能な任意の位置まで動作させて取り外す。操作用ハンドル１０４を取り外すことにより可搬型ディスクモジュール１００の挿抜は不可能となる。
【００３１】
図６は図５で挿入された可搬型ディスクモジュール１００の位置関係を示す図である。上段の図（ａ）は可搬型ディスクモジュール１００が装填された時の可搬型ディスクモジュール回転ねじ部１１２の状態を示し、中段の図（ｂ）は可搬型ディスクモジュール側コネクタ１０６が筐体側コネクタ１０７の挿入された状態を示す。また、下段の図（ｃ）は可搬型ディスクモジュール１００に駆動力を与えた可搬型ディスクモジュール回転ねじ部１１２の位置関係を示している。
【００３２】
以上説明したように、本発明の実施形態に係る可搬型ディスクモジュール着脱機構は、筐体及び筐体に着脱される可搬型ディスクモジュールの各々に配設され、可搬型ディスクモジュールと筐体とを相互に接合させるコネクタ部と、筐体及び可搬型ディスクモジュールの各々に配設され、可搬型ディスクモジュールを筐体に装着させる際に、対応するコネクタ部を相互に位置合わせさせる位置決め手段と、可搬型ディスクモジュールを筐体に着脱させる際に、筐体に対する可搬型ディスクモジュールの着脱動作を制御する回転ねじ部と、可搬型ディスクモジュールを筐体に着脱させる際に、回転ねじ部に制御されることによって筐体に対する着脱に必要な挿抜力生成部と、を具備するものである。
【００３３】
また、可搬型ディスクモジュールを不特定多数の人が簡単に着脱できないようにするため、操作用ハンドルは、取り外し可能として、容易に可搬型ディスクモジュールが着脱できないような構成とされる。更に、可搬型ディスクモジュールの操作用ハンドル挿入部は、当該ハンドル以外挿入できない構造を具備する。本操作用ハンドルを管理することにより、可搬型ディスクモジュールのデータ保護を提供することが可能となる。
【００３４】
【発明の効果】
本発明によれば、容易に可搬型ディスクモジュール挿抜できるという効果が奏する。
【００３５】
また、磁気ディスクサブシステムのデータ保護の観点から、可搬型ディスクモジュールの挿抜には、専用ツールによってのみなされ、容易に挿抜できないようになっている。これは、可搬型ディスクモジュール内のデータ保護が確実に達成できるという効果がある。
【図面の簡単な説明】
【図１】本発明の実施形態に係る可搬型ディスクモジュールを磁気ディスクサブシステムの筐体に搭載する際の概略斜視図である。
【図２】本発明の実施形態に係る可搬型ディスクモジュールと磁気ディスク装置の構成を示す概略斜視図である。
【図３】本発明の実施形態に係る可搬型ディスクモジュールと操作用ハンドルとの全体構成を示す断面図である。
【図４】本発明の実施形態に係る可搬型ディスクモジュールに取り付けられた回転ねじ部に操作用ハンドルを差し込んで磁気ディスクサブシステム筐体に可搬型ディスクモジュールを挿入する態様を示す全体斜視図である。
【図５】本実施形態の可搬型ディスクモジュールの装着時における回転ねじ部の動作説明図である。
【図６】本実施形態の可搬型ディスクモジュールの装着後における回転ねじ部の動作説明図である。
【符号の説明】
１００  可搬型ディスクモジュール
１０１  磁気ディスクサブシステムの筐体
１０２  可搬型ディスクモジュールのケース
１０３  磁気ディスク装置
１０４  操作用ハンドル
１０５  レール
１０６  可搬型ディスクモジュール側コネクタ
１０７  磁気ディスクサブシステムの筐体側コネクタ
１０８  ねじ
１０９  操作用ハンドル突起
１１０  磁気ディスクサブシステム基板
１１１  レール
１１２  可搬型ディスクモジュール側回転ねじ部
１１３  操作用ハンドル穴
１１４  ねじ穴
１１５  穴
１１６  筐体側受け部突起
１１７  磁気ディスク装置側コネクタ
１１８，１１９，１２０，１２１，１２２  矢印
１２３  可搬型ディスクモジュール回転ねじ部操作ハンドル挿入穴
１２４  駆動力
１２５  磁気ディスクサブシステム筐体側受け部ねじ逃げ穴
１２６  可搬型ディスクモジュール側回転ねじ逃げ穴
１２７  可搬型ディスクモジュール側回転ねじ部回転方向
１２８  可搬型ディスクモジュール側回転ねじ受け部
【図１】
0004766795.tif 000002
【図２】
0004766795.tif 000003
【図３】
0004766795.tif 000004
【図４】
0004766795.tif 000005
【図５】
0004766795.tif 000006
【図６】
0004766795.tif 000007